(57)【特許請求の範囲】
【請求項１】
端部間が回転自在に結合された一対のアームと、
該一対のアームの相対回転によって収縮し緩衝動作を行うダンパーとを備え、
前記ダンパーの一端部側を、前記一対のアームの一方に取り付け、
前記一対のアームの他方に、前記相対回転に応じて前記ダンパーの他端部を押圧し前記ダンパーの収縮を行わせるカム面を設け、
前記ダンパーは、前記一対のアームの一方に沿って取り付けられ、前記他端部が前記一対のアームの他方の端部に隣接配置され、
前記カム面は、前記一対のアームの他方の端部に形成され、
前記一対のアームの一方の端部は、前記一対のアームの他方の端部に対して回転軸方向の両側に位置すると共に回転自在に結合される一対の壁部を備え、
前記ダンパーの他端部が、前記一対の壁部間に臨み、
前記一対のアームの一方が、前記壁部間に連通して前記ダンパーの一端部側を保持する保持孔部を備えた、
ことを特徴とするダンパー付きステー。
【請求項２】
請求項１記載のダンパー付きステーであって、
前記カム面と前記ダンパーとの間に前記ダンパーの伸縮方向に移動自在なスライダーを介設した、
ことを特徴とするダンパー付きステー。
【請求項３】
請求項１又は２に記載のダンパー付きステーであって、
前記ダンパーは、一端部側のダンパー・ケース及び該ダンパー・ケースに対して出没する他端部側のダンパー・シャフトを備え、
前記ダンパー・ケースを、前記一対のアームの一方に取り付け、
前記カム面が、前記ダンパー・シャフトの先端を押圧する、
ことを特徴とするダンパー付きステー。
【請求項４】
請求項１〜３の何れか1項に記載のダンパー付きステーを備えた開き戸であって、
前記開き戸が下部側で基部に回転自在に支持され、上下方向に沿った閉じ状態から下方側に向けて回動することで開動作を行うと共に開状態から上方側に向けて回動することで閉じ動作を行ない、
前記ダンパー付きステーは、前記開き戸の閉じ状態で前記回転自在に結合された一対のアームの各端部が下端部となるように上下方向に沿って並設配置され、且つ前記一対のアームの各上端部が前記開き戸と前記基部とにそれぞれ軸支され、
前記カム面は、前記開き戸が前記開動作を行うとき前記一対のアームの相対回転によって前記ダンパーの他端部を押圧し前記ダンパーの収縮を行わせる、
ことを特徴とするダンパー付きステーを備えた開き戸。
【請求項５】
請求項１〜３の何れか1項に記載のダンパー付きステーを備えた開き戸であって、
前記開き戸が上部側で基部に回転自在に支持され、上下方向に沿った閉じ状態から上方側に向けて回動することで開動作を行うと共に開状態から下方側に向けて回動することで閉じ動作を行ない、
前記ダンパー付きステーは、前記開き戸の閉じ状態で前記回転自在に結合された一対のアームの各端部が上端部となるように上下方向に沿って並設配置され、且つ前記一対のアームの各下端部が前記開き戸と前記基部とにそれぞれ軸支され、
前記カム面は、前記開き戸が前記閉じ動作を行うとき前記一対のアームの相対回転によって前記ダンパーの他端部を押圧し前記ダンパーの収縮を行わせる、
ことを特徴とするダンパー付きステーを備えた開き戸。
【発明の詳細な説明】
【技術分野】
【０００１】
本発明は、開き戸等の回転体の回転動作に対する緩衝を行うダンパー付きステーに関する。
【背景技術】
【０００２】
従来のダンパー付きステーとしては、特許文献１のように、基部を開閉する蓋部の開動作を緩衝するものがある。このダンパー付きステーは、端部間が回転自在に結合された一対のアームにダンパーの両端部を軸支し、一対のアームを蓋部及び基部に取り付けられる。一対のアームは、蓋部の上下方向の回転による開動作に応じ、相対回転してダンパーを収縮させる。これにより、蓋部の開動作に対するダンパー効果を発揮することができる。
【０００３】
しかし、かかる従来のダンパー付きステーでは、ダンパーの両端部が一対のアームに軸支されているので、ダンピング特性がダンパー自体の特性とダンパーの取付位置とで一義的に決まる。
【０００４】
このため、蓋部の重量等が異なるものに適用する場合は、ダンパー自体の特性の変更やダンパーの取付位置を変更した別のステーを用いて、ステーのダンピング特性を変更していた。
【０００５】
このようにダンピング特性を変更するには、ダンパー又はステー全体の主要部品の変更が必要となり、その主要部品の共通化が妨げられてコスト高となっていた。
【先行技術文献】
【特許文献】
【０００６】
【特許文献１】特開２００７−２３５５６号公報
【発明の概要】
【発明が解決しようとする課題】
【０００７】
解決しようとする問題点は、ダンピング特性変更のために主要部品の変更が必要な点である。
【課題を解決するための手段】
【０００８】
本発明は、主要部品を変更することなくダンピング特性を変更可能とするため、端部間が回転自在に結合された一対のアームと、該一対のアームの相対回転によって収縮し緩衝動作を行うダンパーとを備え、前記ダンパーの一端部側を、前記一対のアームの一方に取り付け、前記一対のアームの他方に、前記相対回転に応じ前記ダンパーの他端部を押圧して前記ダンパーの収縮を行わせるカム面を設け、前記ダンパーは、前記一対のアームの一方に沿って取り付けられ、前記他端部が前記一対のアームの他方の端部に隣接配置され、前記カム面は、前記一対のアームの他方の端部に形成され、前記一対のアームの一方の端部は、前記一対のアームの他方の端部に対して回転軸方向の両側に位置すると共に回転自在に結合される一対の壁部を備え、前記ダンパーの他端部が、前記一対の壁部間に臨み、前記一対のアームの一方が、前記壁部間に連通して前記ダンパーの一端部側を保持する保持孔部を備えたことを最も主な特徴とする。
【発明の効果】
【０００９】
本発明によれば、主要部品を変更することなく、カム面の形状変更によってダンピング特性を自在に変更することができる。
【図面の簡単な説明】
【００１０】
【図１】ダンパー付きステーを備えた開き戸の要部断面図であり、（ａ）は開き戸の閉じ状態、（ｂ）は開き戸の開状態を示している（実施例１）。
【図２】ダンパー付きステーの拡大斜視図であり、（ａ）は開き戸の閉じ状態、（ｂ）は開き戸の開状態を示している（実施例１）。
【図３】図２のダンパー付きステーを拡大して示す分解斜視図である（実施例１）。
【図４】図１のダンパー付きステーを拡大して示し、（ａ）は側面図、（ｂ）は背面図、（ｃ）は底面図である。（実施例１）。
【図５】図１のダンパー付きステーの一方のアームを示し、（ａ）は側面図、（ｂ）は（ａ）の要部拡大図である（実施例１）。
【図６】図１のダンパー付きステーの他方のアームのアーム壁部を示し、（ａ）は側面図、（ｂ）は正面図である（実施例１）。
【図７】図１のダンパー付きステーの他方のアームのアーム壁部を示し、（ａ）は側面図、（ｂ）は正面図である（実施例１）。
【図８】図１のダンパー付きステーのスライダーを拡大して示し、（ａ）は側面図、（ｂ）は平面図、（ｃ）は背面図である（実施例１）。
【図９】図４（ａ）のスライダー周辺を示す要部拡大図である（実施例１）。
【図１０】ダンパー付きステーを備えた開き戸の要部断面図であり、（ａ）は開き戸の開状態、（ｂ）は開き戸の閉じ状態を示している（実施例２）。
【図１１】図１０のダンパー付きステーを拡大して示す側面図である（実施例２）。
【発明を実施するための形態】
【００１１】
主要部品を変更することなくダンピング特性を変更可能とするという目的を、ダンパーの一端部側を一対のアームの一方に取り付け、一対のアームの他方に相対回転に応じてダンパーの他端部を押圧しダンパーの収縮を行わせるカム面を設けることで実現した。
【００１２】
好ましくは、カム面とダンパーとの間に、ダンパーの伸縮方向に移動自在なスライダーを介設する。
【００１３】
以下、本発明の実施例について図面を参照して説明する。
【実施例１】
【００１４】
［ダンパー付きステーの構成］
図１は、本発明の実施例１に係るダンパー付きステーを備えた開き戸の要部断面図であり、（ａ）は開き戸の閉じ状態、（ｂ）は開き戸の開状態を示している。
【００１５】
図１のように、本実施例のダンパー付きステー１は、開き戸３と家具の収納部等の基部４との間に設けられ、開き戸３の開動作に対する緩衝を行う。
【００１６】
具体的には、開き戸３は、基部４に対して下部側で回転自在に支持され、その回転動作によって基部４側を開閉する。この開き戸３は、下方側に向けて回動することで開動作を行い、この開動作がダンパー付きステー１により緩衝される。
【００１７】
ダンパー付きステー１は、一対のアーム５，７と、ダンパー９とを備えている。
【００１８】
図２〜図４は、図１のダンパー付きステーを拡大して示し、図２（ａ）は開き戸の閉じ状態の斜視図、図２（ｂ）は開き戸の開状態の斜視図、図３は分解斜視図、図４（ａ）は側面図、図４（ｂ）は背面図、図４（ｃ）は底面図である。なお、図１〜図４のダンパー付きステーは、若干形状が相違するが、基本的に同一構造である。
【００１９】
一対のアーム５，７は、図１〜図４のように、開き戸３の閉じ状態（ダンパー付きステー１の待機状態）で、上下方向に沿って並設配置され、下端部１１，１３間が回転自在に結合されると共に上端部１５，１７が開き戸３及び基部４にそれぞれ軸支されている。
【００２０】
図５（ａ）は、一方のアームを示す側面図であり、図５（ｂ）は、同要部拡大図である。
【００２１】
一方のアーム５は、図４及び図５のように、略矩形状に形成されたステンレス等の金属板からなっている。アーム５の上端部１５には、支持孔１９が貫通形成されている。この支持孔１９を挿通する支持ピン２１を介し、アーム５の上端部１５が開き戸３側のブラケット２３に軸支されている（図１参照）。
【００２２】
アーム５の下端部１１には、他方のアーム７に対する結合孔２５が貫通形成されている。結合孔２５は、他方のアーム７側に水平方向（一対のアーム５，７の並設方向）で偏倚した位置に設けられている。この下端部１１には、下端面２７及びカム面２９が設けられている。
【００２３】
下端面２７は、結合孔２５を中心とした円弧状に形成され、結合孔２５に対して他方のアーム７側に突出した位置でカム面２９に連続している。カム面２９は、水平方向の面からなり、ダンパー付きステー１のダンピング特性に応じた曲率の円弧状となっている。なお、カム面２９の曲率半径は、下端面２７の曲率半径よりも小さく設定されている。カム面２９の下端面２７側には、直線状の終端部２９ａが形成されている。
【００２４】
かかるカム面２９は、結合孔２５を基準に上端部１５とは反対側に形成されており、一対のアーム５，７が離間するときに後述するダンパー９の収縮方向に突出するようになっている。
【００２５】
他方のアーム７は、図２〜図４のように、一対のアーム壁部３１，３３の合わせ構造となっている。なお、各アーム壁部については、図６及び図７に示す。アーム壁部３１，３３は、略矩形状に形成されたステンレス等の金属板からなり、合わせ方向で対称な同一構成を有する。
【００２６】
アーム壁部３１，３３は、他方のアーム７の上端部１７において、相互に面合わせした状態で固定されている。この上端部１７においては、アーム壁部３１，３３に支持孔３５が貫通形成されており、支持孔３５を挿通する支持ピン３７を介して基部４側に軸支されている（図１参照）。
【００２７】
これらのアーム壁部３１，３３は、アーム７の中間部から下端部１３にわたり、傾斜部３９を介し相互に離間した状態で対向配置されている。他方のアーム７の下端部１３では、アーム壁部３１，３３間に一方のアーム５の下端部１１の一部が位置している。
【００２８】
アーム壁部３１，３３には、一方のアーム５の結合孔２５に対応して、結合孔４１が貫通形成されている。これらアーム壁部３１，３３の結合孔４１には、一方のアーム５の結合孔２５と共に結合ピン４３が挿通している。これにより、一対のアーム５，７は、下端部１１，１３間が回転自在に結合されている。
【００２９】
従って、一対のアーム壁部３１，３３は、一方のアーム５の下端部１１に対して回転軸方向の両側に位置すると共に回転自在に結合される構成となっている。また、他方のアーム７の下端部１３側には、アーム壁部３１，３３に上下方向に沿ったスリット４５が貫通形成されている。
【００３０】
他方のアーム７の中間部には、アーム壁部３１，３３間にダンパー９の保持孔部４７が区画されている。保持孔部４７は、下端部１３のアーム壁部３１，３３間に連通した構成となっている。この保持孔部４７に対応して、アーム壁部３１，３３には内外を貫通する貫通孔４９が設けられている。
【００３１】
ダンパー９は、直動型のダンパー装置であり、一端部側のダンパー・ケース５１に対して他端部側のダンパー・シャフト５３が出没自在に支持されている。ダンパー・ケース５１内には、例えばシリコンオイル等の作動流体が封入されると共にダンパー・シャフト５３に結合されたピストンを収容している。そして、ダンパー９は、ダンパー・シャフト５３の没入動作によって全体として収縮し、ダンパー効果を発揮する。
【００３２】
このダンパー９は、ダンパー・ケース５１が他方のアーム７の保持孔部４７内に収容保持されている。これにより、ダンパー９は全体として他方のアーム７に沿って配置されている。
【００３３】
ダンパー・ケース５１の外周の一部は、他方のアーム７のアーム壁部３１，３３から貫通孔４９を介して外部に突出している。この突出により、ダンパー・ケース５１は、他方のアーム７の保持孔部４７内に位置決め固定される。なお、ダンパー・ケース５１は、例えばスポット溶接等で他方のアーム７の固定してもよい。
【００３４】
ダンパー・ケース５１からは、ダンパー・シャフト５３が、他方のアーム７の下端部１３側に向けて引き出されてアーム壁部３１，３３間に臨む。従って、ダンパー・シャフト５３は、その先端（ダンパー９の他端部）が一方のアーム５の下端部１１（カム面２９）に隣接して配置される。このダンパー・シャフト５３の先端とカム面２９との間には、スライダー５５が介設されている。
【００３５】
図８は、スライダーを拡大して示し、（ａ）は側面図、（ｂ）は平面図、（ｃ）は背面図である。図９は、図４（ａ）のスライダー周辺を示す要部拡大図である。
【００３６】
スライダー５５は、樹脂からなり、ダンパー・シャフト５３とは別体の矩形板状に形成されている。スライダー５５の幅方向両側には、上下方向に沿った突条部５７，５９が設けられている。突条部５７，５９は、図２〜図４のように、他方のアーム７のアーム壁部３１，３３のスリット４５にスライド自在に係合し、スライダー５５の上下方向（ダンパー９の伸縮方向）の移動を案内するようになっている。
【００３７】
スライダー５５の上端側は、図９のように、ダンパー・シャフト５３の先端に当接し、下端側は、カム面２９に当接する当接面６１となっている。当接面６１には、水平方向の一角部が曲面部６１ａが形成され、この曲面部６１ａは、開き戸３の閉じ状態、つまりダンパー付きステー１の待機状態でカム面２９に当接する。
［ダンパー付きステーの作用］
本実施例のダンパー付きステー１は、図１（ｂ）、図２（ｂ）、及び図４（ａ）の二点差線のように、開き戸３の開動作に応じて、一対のアーム５，７が相対回転してダンパー９による緩衝を行う。
【００３８】
具体的には、開き戸３を閉じ状態から基部４に対して開動作させると、開き戸３の下方側へ向けた回転に応じて一方のアーム５が他方のアーム７に対して離間するように相対的に回転する。
【００３９】
この回転より、一方のアーム５のカム面２９は、ダンパー９の収縮方向に突出していき、スライダー５５を介してダンパー・シャフト５３をダンパー・ケース５１側に押圧する（図４（ａ）参照）。このとき、一方のアーム５は、下端部１１の回転動作が他方のアーム７のアーム壁部３１，３３間で案内され、カム面２９によるダンパー・シャフト５３の押圧を円滑且つ確実に行うことができる。
【００４０】
かかる押圧により、ダンパー付きステー１では、ダンパー・シャフト５３をダンパー・ケース５１内に収縮移動させて、ダンパー９の抗力を発生させることができる。結果として、ダンパー付きステー１では、カム面２９の形状とダンパー９自体の特性とに応じたダンピング特性によるダンパー効果を発揮することができる。
【００４１】
このとき、カム面２９とスライダー５５との間には、ダンパー９の抗力に感応する摩擦力が生じるので、ダンパー９の能力を増大することができる。
【００４２】
なお、スライダー５５は、カム面２９との摩擦力によって水平方向の力が作用することになるが、この水平方向の力は、スライダー５５がダンパー・シャフト５３とは別体に形成されていることから、スライダー５５からダンパー・シャフト５３に入力されることが防止される。
【００４３】
従って、ダンパー・シャフト５３に収縮方向の押圧力のみを作用させることができ、ダンパー９内のシール等を保護することができる。結果として、ダンパー付きステー１では、ダンパー９の耐久性等の低下を抑制できる。
【００４４】
こうして開き戸３が完全に開状態となると、ダンパー９が完全に収縮してスライダー５５の上端がダンパー９のダンパー・ケース５１に突き当てられると共にスライダー５５の下端にカム面２９の終端部２９ａが当接する。
【００４５】
従って、一方のアーム５の回転が止められて開き戸３の開状態が保持される。なお、本実施例では、開き戸３の開状態において、アーム５，７間の角度が１２０度程度となっている。
【００４６】
一方、図１（ａ）、図２（ａ）、及び図４（ａ）の実線ように、開き戸３を閉じ動作させると、開き戸３の上方側へ向けた回転に応じて一方のアーム５が他方のアーム７に近接するように回転する。これにより、一方のアーム５のカム面２９が、ダンパー９の伸張方向に退避することになる。このとき、ダンパー９は、ダンパー・ケース５１内の付勢部材によりダンパー・シャフト５３が突出して伸張する。
【００４７】
こうして、開き戸３が完全に閉じ状態になると、ダンパー９が完全に伸張してスライダー５５の上端がカム面２９に突き当てられた待機状態となる。
［実施例１の効果］
本実施例のダンパー付きステー１は、下端部１１，１３間が回転自在に結合された一対のアーム５，７と、一対のアーム５，７の相対回転によって収縮し緩衝動作を行うダンパー９とを備え、ダンパー９の一端部側のダンパー・ケース５１を他方のアーム７（一対のアーム５，７の一方）に取り付け、一方のアーム５（一対のアーム５，７の他方）に相対回転に応じてダンパー９の他端部側のダンパー・シャフト５３を押圧しダンパー９の収縮を行わせるカム面２９を設けている。
【００４８】
従って、ダンパー付きステー１では、カム面２９の形状とダンパー９自体の特性とに応じたダンピング特性によるダンパー効果を発揮することができる。
【００４９】
このため、ダンパー付きステー１は、双方のアーム５，７やダンパー９を別のものに変更する等の主要部品の変更をすることなく、カム面２９の形状変更によってダンピング特性を自在に変更することができる。結果として、ダンパー付きステー１では、アーム５を除く主要部品の共通化を図ることができ、コスト低減を図ることができる。
【００５０】
また、カム面２９には、ダンパー・シャフト５３側との間でダンパー９の抗力に感応する摩擦力が生じるので、ダンパー９の能力を増大することができる。このため、本実施例では、ダンパー付きステー１の高性能化を図ることができる。
【００５１】
本実施例においては、カム面２９とダンパー・シャフト５３との間にダンパー９の伸縮方向に移動自在なスライダー５５を介設しているので、上記摩擦力によるダンパー９の収縮交差方向の力がスライダー５５からダンパー・シャフト５３に入力されることを防止できる。
【００５２】
従って、上記のようにダンパー付きステー１の高性能化を図ることができながら、ダンパー９内のシール等を保護することができ、ダンパー９の耐久性等の低下を抑制できる。
【００５３】
また、本実施例では、ダンパー９が、他方のアーム７に沿って取り付けられると共にダンパー・シャフト５３の先端を一方のアーム５の下端部１１に隣接配置され、カム面２９が、一方のアーム５の下端部１１に形成されている。
【００５４】
従って、ダンパー付きステー１の構成をコンパクトにできると共にカム面２９によって確実にダンパー９を収縮させてダンパー効果を得ることができる。
【００５５】
また、本実施例のダンパー付きステー１では、他方のアーム７の下端部１３が、一方のアーム５の下端部１１に対して回転軸方向の両側に位置すると共に回転自在に結合される一対のアーム壁部３１，３３を備え、ダンパー９のダンパー・シャフト５３の先端が、一対のアーム壁部３１，３３間に臨んでいる。
【００５６】
従って、アーム壁部３１，３３間で一方のアーム５の下端部１１の動作を案内して、カム面２９によるダンパー９の収縮を円滑且つ確実に行わせることができる。
【００５７】
他方のアーム７は、アーム壁部３１，３３間に連通してダンパー９のダンパー・ケース５１を保持する保持孔部４７を備えているので、より確実にダンパー付きステー１の構成をコンパクトにすることができる。
【実施例２】
【００５８】
図１０は、本発明の実施例２に係るダンパー付きステーを備えた開き戸の要部断面図であり、（ａ）は開き戸の開状態、（ｂ）は開き戸の閉じ状態を示している。図１１は、図１０のダンパー付きステーを拡大して示す側面図である。
【００５９】
なお、本実施例は、上記実施例１と基本構成が共通しているため、対応する構成部分に同符号又は同符号にＡを付加したものを用いて重複した説明を省略する。
【００６０】
本実施例のダンパー付きステー１Ａは、基部４Ａに対して開き戸３Ａの閉じ動作の緩衝を行うものである。具体的には、開き戸３Ａが上部側で基部４Ａに回転自在に支持され、上方側に向けて回動することで開動作を行うと共に開状態から下方側に向けて回動することで閉じ動作を行うようになっている。かかる開き戸３Ａの閉じ動作が、ダンパー付きステー１Ａにより緩衝される。
【００６１】
このダンパー付きステー１Ａでは、開き戸３Ａの閉じ状態（ダンパー付きステー１の待機状態）で上下方向に沿って並設配置されており、上端部１５Ａ，１７Ａ間が回転自在に結合され、下端部１１Ａ，１３Ａが開き戸３Ａ及び基部４にそれぞれ軸支されている。
【００６２】
一方のアーム５Ａは、他方のアーム７Ａの水平方向一側に回転自在に結合されていると共に他方のアーム７Ａを跨いで延設された延設部６３を備えている。本実施例では、この延設部６３にカム面２９Ａが形成されている。
【００６３】
カム面２９Ａは、一方のアーム５Ａの結合孔２５Ａと下端部１１Ａとの間に形成されており、一対のアーム５Ａ，７Ａが近接するときにダンパー９の収縮方向に突出するようになっている。
【００６４】
従って、ダンパー付きステー１Ａでは、図１０（ｂ）及び図１１の二点差線のように、実施例１とは逆に開き戸３Ａの閉じ状態でダンパー９が完全に収縮している。
【００６５】
かかるダンパー付きステー１Ａは、開き戸３Ａの開動作させると、一方のアーム５Ａが他方のアーム７Ａから離間するように回転してカム面２９Ａがダンパー９の伸張方向に退避することになる。
【００６６】
開き戸３Ａが完全に開状態になると、図１０（ａ）及び図１１の実線ように、ダンパー９が完全に伸張してスライダー５５の上端がカム面２９Ａに突き当てられた待機状態となる。
【００６７】
この状態で、開き戸３Ａが閉じ動作すると、一方のアーム５Ａが他方のアーム７Ａに近接するように相対的に回転し、一方のアーム５Ａのカム面２９Ａがダンパー９の収縮方向に突出していく。
【００６８】
これにより、カム面２９Ａは、スライダー５５を介してダンパー・シャフト５３をダンパー・ケース５１側に押圧し、ダンパー９は、収縮により抗力を発生させることができる。
【００６９】
かかる実施例２においても、上記実施例１と同様の作用効果を奏することができる。
［その他］
以上、本発明の実施例について説明したが、本発明はこれに限定されるものではなく、各種の変更が可能である。
【００７０】
例えば、上記実施例では、スライダー５５を設けていたが、これを省略することも可能である。
【００７１】
また、上記実施例の開き戸３，３Ａは、上下方向の回転によって開閉動作を行うものであったが、例えば水平方向の回転によって開閉動作を行うものでもよい。
【００７２】
また、ダンパー９を保持する他方のアーム５，５Ａは、基部４側に支持されていたが、開き戸３，３Ａ側に支持することも可能である。この場合は、一方のアーム７，７Ａを基部４側に支持すればよい。
【００７３】
また、ダンパー９は、他方のアーム７，７Ａに沿って配置していたが、従来のように一対のアーム間を橋渡すように配置させてもよい。この場合は、ダンパー・シャフト５３の先端を、従来のようにアームに固定せず、上記実施例のようにアームに形成したカム面に突き当てた状態で保持すればよい。
【符号の説明】
【００７４】
１  ダンパー付きステー
５，７  アーム
９  ダンパー
１１，１３  下端部（端部）
２９  カム面
３１，３３  アーム壁部（壁部）
４７  保持孔部
５１  ダンパー・ケース
５３  ダンパー・シャフト
５５  スライダー
【図１】
0005726127.tif 000002
【図２】
0005726127.tif 000003
【図３】
0005726127.tif 000004
【図４】
0005726127.tif 000005
【図５】
0005726127.tif 000006
【図６】
0005726127.tif 000007
【図７】
0005726127.tif 000008
【図８】
0005726127.tif 000009
【図９】
0005726127.tif 000010
【図１０】
0005726127.tif 000011
【図１１】
0005726127.tif 000012